【手続補正書】
【提出日】平成24年11月21日(2012.11.21)
【手続補正１】
【補正対象書類名】特許請求の範囲
【補正対象項目名】全文
【補正方法】変更
【補正の内容】
【特許請求の範囲】
【請求項１】
治療エリア内で医療デバイスを初期化する方法であって、
医療施設ネットワークの無線が届く範囲内にある治療エリアに医療デバイスを供給するステップと、
前記医療施設ネットワークから前記医療デバイスに、電源を入れてアクティブな電力状態にする命令を含む初期化信号を送信するステップと、
前記医療デバイスによる前記初期化信号の受信に応答して、前記医療デバイスを自動的に初期化するステップとを含み、前記初期化は、前記医療デバイスが低電力、スリープ、または電源オフ状態である場合、前記医療デバイスの電源を入れてアクティブな電力状態にすることを含むことを特徴とする方法。
【請求項２】
前記医療デバイスは、前記治療エリアに導入されると、自動的に前記医療施設ネットワークによって検出されることを特徴とする請求項１の方法。
【請求項３】
前記医療デバイスの検出後、前記医療施設ネットワークは前記医療デバイスに識別情報要求信号を送信することを特徴とする請求項２の方法。
【請求項４】
前記識別情報要求信号に応答して、前記医療デバイスは前記医療施設ネットワークに識別情報を送信することを特徴とする請求項３の方法。
【請求項５】
前記初期化するステップは、ソフトウェアプログラムを立ち上げるステップを含むことを特徴とする請求項１の方法。
【請求項６】
前記医療施設ネットワークはインターネットに接続されていることを特徴とする請求項１の方法。
【請求項７】
前記無線が届く範囲はおおよそ前記治療エリアに限定されることを特徴とする請求項１の方法。
【請求項８】
前記医療施設ネットワークはローカルネットワークまたは施設全体のネットワークであることを特徴とする請求項１の方法。
【請求項９】
医療デバイスを医療施設ネットワークに統合するシステムであって、
前記医療施設ネットワークと相互作用する端末と、
前記端末と通信するディスプレイと、
前記医療設備ネットワークの無線が届く範囲内にある医療デバイスとを含み、
前記医療設備ネットワークは、前記医療デバイスに、電源を入れてアクティブな電力状態にする命令を含む初期化信号を送信するように構成され、前記医療デバイスは、前記初期化信号の受信に応答して自動的に初期化され、前記初期化は前記医療デバイスの電源を入れてアクティブな電力状態にすることを含むように構成されることを特徴とするシステム。
【請求項１０】
前記医療デバイスは、治療エリアに導入されると、自動的に前記医療施設ネットワークによって検出されることを特徴とする請求項９のシステム。
【請求項１１】
前記医療施設ネットワークはインターネットに接続されており、それによって、医療施設ネットワークと別のエンティティとの間のデータ交換が促進されることを特徴とする請求項９のシステム。
【請求項１２】
前記無線が届く範囲はおおよそ治療エリアに限定されることを特徴とする請求項９のシステム。
【請求項１３】
前記医療施設ネットワークはローカルネットワークまたは施設全体のネットワークであることを特徴とする請求項９のシステム。
【請求項１４】
医療デバイスであって、
無線通信機能を含み、
当該医療デバイスは、治療エリアに導入されると、自動的に検出され、前記治療エリア内からの、電源を入れてアクティブな電力状態にする命令を含む初期化信号の受信に応答して初期化されるように構成され、前記初期化は前記医療デバイスの電源を入れてアクティブな電力状態にすることを含むことを特徴とする医療デバイス。
【請求項１５】
医療施設ネットワークであって、
無線通信デバイスを含み、
当該医療施設ネットワークは、当該医療施設ネットワークの無線が届く範囲内にある１以上の医療デバイスに、電源を入れてアクティブな電力状態にする命令を含む初期化信号を送信するように構成されることを特徴とする医療施設ネットワーク。
【請求項１６】
医療デバイスを医療施設ネットワークに統合する方法であって、
医療施設ネットワークの無線が届く範囲内にある治療エリアに医療デバイスを供給するステップと、
前記医療施設ネットワークによって前記治療エリアにある前記医療デバイスを検出するステップと、
前記医療施設ネットワークから前記医療デバイスに、電源を入れてアクティブな電力状態にする命令を含む初期化信号を送信するステップとを含むことを特徴とする方法。
【請求項１７】
前記医療デバイスによる前記初期化の受信に応答して、前記医療デバイスを自動的に初期化するステップをさらに含むことを特徴とする請求項１６の方法。
【請求項１８】
前記医療デバイスの同一性を検証するステップをさらに含むことを特徴とする請求項１６の方法。
【請求項１９】
治療エリア内で医療デバイスを初期化する方法であって、
医療施設ネットワークの無線が届く範囲内にある治療エリアに医療デバイスを供給するステップと、
前記医療デバイスが前記治療エリアに導入されると前記医療施設ネットワークが自動的に前記医療デバイスを検出するステップと、
前記医療施設ネットワークが前記医療デバイスに初期化信号を送信するステップと、
前記医療デバイスによる前記初期化信号の受信に応答して、前記医療デバイスを自動的に初期化するステップとを含み、
前記初期化は、前記医療デバイスの電源を入れて低電力、スリープ、または電源オフ状態からアクティブな電力状態にすることを含むことを特徴とする方法。
【請求項２０】
医療デバイスを医療施設ネットワークに統合するシステムであって、
前記医療施設ネットワークと相互作用する端末と、
前記端末と通信するディスプレイと、
前記医療設備ネットワークの無線が届く範囲内にある医療デバイスとを含み、
前記医療デバイスは、前記治療エリアに導入されると、自動的に前記医療施設ネットワークによって検出され、
前記医療設備ネットワークは、前記医療デバイスに初期化信号を送信するように構成され、前記医療デバイスは、前記初期化信号の受信に応答して自動的に初期化されるように構成され、
前記初期化は、前記医療デバイスの電源を入れて低電力、スリープ、または電源オフ状態からアクティブな電力状態にすることを含むことを特徴とするシステム。
【請求項２１】
医療デバイスであって、
無線通信機能を含み、当該医療デバイスは、治療エリアに導入されると、自動的に検出され、前記治療エリア内からの初期化信号の受信に応答して初期化されるように構成され、
前記初期化は、前記医療デバイスの電源を入れて低電力、スリープ、または電源オフ状態からアクティブな電力状態にすることを含むことを特徴とする医療デバイス。
【請求項２２】
医療施設ネットワークであって、
無線通信デバイスを含み、当該医療施設ネットワークは、当該医療施設ネットワークの無線が届く範囲内にある１以上の医療デバイスが当該範囲に導入されると前記１以上の医療デバイスを検出し、当該医療施設ネットワークの無線が届く範囲内にある前記１以上の医療デバイスに初期化信号を送信するように構成され、
前記初期化信号は、前記医療デバイスの電源を入れて低電力、スリープ、または電源オフ状態からアクティブな電力状態にするための信号を含むことを特徴とする医療施設ネットワーク。
【手続補正２】
【補正対象書類名】明細書
【補正対象項目名】００６２
【補正方法】変更
【補正の内容】
【００６２】
開示された実施の形態の前述の記載は、当該技術分野の当業者が本発明を実施または利用することを可能にするために提供される。これらの実施の形態に様々な修正をすることは当該技術分野の当業者には直ちに明らかであり、ここに規定された一般的原則は、本発明の趣旨または範囲から逸脱することなく、他の実施の形態に適用することができる。したがって、本発明をここに示した実施の形態に限定する意図はなく、ここに開示された原則および新規の特徴と矛盾しない最も広い範囲をもつものと認めるべきである。
本明細書に開示された内容は以下のコンセプトを含んでいる。
［コンセプト１］
治療エリア内で医療デバイスを初期化する方法であって、
医療施設ネットワークの無線が届く範囲内にある治療エリアに医療デバイスを供給するステップと、
前記医療施設ネットワークから前記医療デバイスに初期化信号を送信するステップと、
前記医療デバイスによる前記初期化信号の受信に応答して、前記医療デバイスを自動的に初期化するステップとを含むことを特徴とする方法。
［コンセプト２］
前記医療デバイスは、前記治療エリアに導入されると、自動的に前記医療施設ネットワークによって検出されることを特徴とするコンセプト１の方法。
［コンセプト３］
前記医療デバイスの検出後、前記医療施設ネットワークは前記医療デバイスに識別情報要求信号を送信することを特徴とするコンセプト２の方法。
［コンセプト４］
前記識別情報要求信号に応答して、前記医療デバイスは前記医療施設ネットワークに識別情報を送信することを特徴とするコンセプト３の方法。
［コンセプト５］
前記初期化するステップは、前記医療デバイスの電源を入れてアクティブな電力状態にするステップを含むことを特徴とするコンセプト１の方法。
［コンセプト６］
前記初期化するステップは、ソフトウェアプログラムを立ち上げるステップを含むことを特徴とするコンセプト１の方法。
［コンセプト７］
前記医療施設ネットワークはインターネットに接続されていることを特徴とするコンセプト１の方法。
［コンセプト８］
前記無線が届く範囲はおおよそ前記治療エリアに限定されることを特徴とするコンセプト１の方法。
［コンセプト９］
前記医療施設ネットワークはローカルネットワークまたは施設全体のネットワークであることを特徴とするコンセプト１の方法。
［コンセプト１０］
医療デバイスを医療施設ネットワークに統合するシステムであって、
前記医療施設ネットワークと相互作用する端末と、
前記端末と通信するディスプレイと、
前記医療設備ネットワークの無線が届く範囲内にある医療デバイスとを含み、
前記医療設備ネットワークは、前記医療デバイスに初期化信号を送信するように構成され、前記医療デバイスは、前記初期化信号の受信に応答して自動的に初期化されるように構成されることを特徴とするシステム。
［コンセプト１１］
前記医療デバイスは、治療エリアに導入されると、自動的に前記医療施設ネットワークによって検出されることを特徴とするコンセプト１０のシステム。
［コンセプト１２］
前記初期化は、前記医療デバイスの電源を入れてアクティブな電力状態にすることを含むことを特徴とするコンセプト１０のシステム。
［コンセプト１３］
前記医療施設ネットワークはインターネットに接続されており、それによって、医療施設ネットワークと別のエンティティとの間のデータ交換が促進されることを特徴とするコンセプト１０のシステム。
［コンセプト１４］
前記無線が届く範囲はおおよそ治療エリアに限定されることを特徴とするコンセプト１０のシステム。
［コンセプト１５］
前記医療施設ネットワークはローカルネットワークまたは施設全体のネットワークであることを特徴とするコンセプト１０のシステム。
［コンセプト１６］
医療デバイスであって、
無線通信機能を含み、
当該医療デバイスは、治療エリアに導入されると、自動的に検出され、前記治療エリア内からの初期化信号の受信に応答して初期化されるように構成されることを特徴とする医療デバイス。
［コンセプト１７］
医療施設ネットワークであって、
無線通信デバイスを含み、
当該医療施設ネットワークは、当該医療施設ネットワークの無線が届く範囲内にある１以上の医療デバイスに初期化信号を送信するように構成されることを特徴とする医療施設ネットワーク。
［コンセプト１８］
医療デバイスを医療施設ネットワークに統合する方法であって、
医療施設ネットワークの無線が届く範囲内にある治療エリアに医療デバイスを供給するステップと、
前記医療施設ネットワークによって前記治療エリアにある前記医療デバイスを検出するステップと、
前記医療施設ネットワークから前記医療デバイスに初期化信号を送信するステップとを含むことを特徴とする方法。
［コンセプト１９］
前記医療デバイスによる前記初期化の受信に応答して、前記医療デバイスを自動的に初期化するステップをさらに含むことを特徴とするコンセプト１８の方法。
［コンセプト２０］
前記医療デバイスの同一性を検証するステップをさらに含むことを特徴とするコンセプト１８の方法。